(57)【要約】【課題】  内袋の装着作業が容易で、しかも風などによって装着した内袋が飛ばされ難いものとなる発泡合成樹脂製容器を提供すること。【解決手段】  内袋Ａと組み合わせて使用される発泡合成樹脂製容器１において、対向する短手の側壁２の各々の上面中央付近に突起６を形成し、その側壁２の各々の左右両端下部に段部７，７を形成し、装着した内袋Ａの開口端縁を、前記段部７，７及び突起６にＶ字に引っ掛けるように構成した。【選択図】        図５
2005239196.tif 000002
【特許請求の範囲】
【請求項１】
内袋と組み合わせて使用される発泡合成樹脂製容器において、上記内袋の開口端縁を引っ掛ける突起を、側壁に形成したことを特徴とする発泡合成樹脂製容器。
【請求項２】
内袋を引っ掛ける段部を更に側壁に形成し、該段部と上記突起に内袋の開口端縁をＶ字に引っ掛けることを特徴とする、請求項１に記載の発泡合成樹脂製容器。
【請求項３】
上記突起を、側壁の上面中央付近に形成したことを特徴とする、請求項１又は２に記載の発泡合成樹脂製容器。
【請求項４】
上記段部を、側壁の左右両端下部に形成したことを特徴とする、請求項２又は３に記載の発泡合成樹脂製容器。
【請求項５】
上記突起を、対向する短手の側壁の各々に形成したことを特徴とする、請求項１乃至４のいずれかに記載の発泡合成樹脂製容器。
【請求項６】
上記段部を、対向する短手の側壁の各々に形成したことを特徴とする、請求項２乃至５のいずれかに記載の発泡合成樹脂製容器。
【請求項７】
発泡ポリスチレンにより形成したことを特徴とする、請求項１乃至６のいずれかに記載の発泡合成樹脂製容器。
【発明の詳細な説明】
【技術分野】
【０００１】
本発明は、発泡合成樹脂製容器に関し、更に詳しくは、内袋と組み合わせて使用される発泡合成樹脂製容器に関するものである。
【背景技術】
【０００２】
発泡合成樹脂製容器は、軽量で、しかも断熱性に優れていることから、冷却を必要とする魚介類等の生鮮食品の包装容器として広く使用されている。
【０００３】
ここで、発泡合成樹脂製容器は、熱伝導性が低く優れた保冷容器ではあるが、魚等を入れた場合に魚の血などが付着することを阻止する観点から、また、収まりを良くして魚にキズ等が付きにくくする観点から、更に、近年においては、さらなる断熱効果を持たせる観点から、内袋に氷と保冷を要する物品を入れて包んだ上で、これを発泡合成樹脂製容器に収容する、即ち、内袋と組み合わせて発泡合成樹脂製容器を使用することが多く成されている。
【０００４】
この場合、内袋Ａは、図７に示すように発泡合成樹脂製容器内に入れられ、その開口端縁を外方に折り返して発泡合成樹脂製容器の外部を覆うようにして装着され、この状態で漁港、市場等に出荷されることが多い。
【０００５】
このように内袋と組み合わせて発泡合成樹脂製容器を使用する場合、装着した内袋がコンベアー等による移送途中に周囲のものに引っ掛かることを防止するため、発泡合成樹脂製容器の対向する側壁上面に溝を形成し、該溝に内袋の開口端縁を挿入するようにした技術が特許文献１に開示されている。
【０００６】
【特許文献１】特開２００２−３６２６３０号公報
【発明の開示】
【発明が解決しようとする課題】
【０００７】
しかしながら、上記した特許文献１に開示された技術の如く、内袋の開口端縁を容器に形成された溝に挿入する構成とすることは、形成された溝の幅が狭い場合には、その挿入作業が容易なものではなく、内袋の発泡合成樹脂製容器への装着が面倒なものとなる。また逆に形成された溝の幅が広い場合には、挿入した内袋の開口端縁を保持する作用が弱く、再び開口端縁が溝から出てしまうことが生じ、周囲のものに引っ掛かることを防止することができないばかりか、風等によって内袋が飛ばされてしまう憂いがある。
また、容器の側壁上面に溝を形成することは、側壁の強度を著しく低下させることとなり、側壁の肉厚を厚くするなどの対策をこうじる必要がある。
【０００８】
本発明は、上述した背景技術が有する課題に鑑み成されたものであって、その目的は、内袋の装着作業が容易で、しかも風などによって装着した内袋が飛ばされ難いものとなる発泡合成樹脂製容器を提供することにある。
【課題を解決するための手段】
【０００９】
上記した課題を解決するため、本発明は、内袋と組み合わせて使用される発泡合成樹脂製容器において、上記内袋の開口端縁を引っ掛ける突起を、側壁に形成した発泡合成樹脂製容器とした。
【００１０】
ここで、上記本発明の好ましい実施の形態としては、内袋を引っ掛ける段部を更に側壁に形成し、該段部と上記突起に内袋の開口端縁をＶ字に引っ掛けるように構成する。
また、上記突起を側壁の上面中央付近に形成し、また、上記段部を側壁の左右両端下部に形成することも好ましい。
更に、上記突起を対向する短手の側壁の各々に形成し、また、上記段部も対向する短手の側壁の各々に形成する構成とすることも好ましい実施の形態である。
更に、発泡ポリスチレンにより形成した容器とすることも好ましい。
【発明の効果】
【００１１】
上記した本発明によれば、内袋の開口端縁を引っ掛ける突起を側壁に形成したため、該容器に装着された内袋は、外れ難いものとなり、風などによって飛ばされる憂いがないものとなる。
【００１２】
また、内袋を引っ掛ける段部を更に側壁に形成し、該段部と上記突起に内袋の開口端縁をＶ字に引っ掛けるように構成すれば、内袋の開口端縁を確実に絞ることができ、より内袋が外れ難いものとなる。
また、上記突起を側壁の上面中央付近に形成し、また、上記段部を側壁の左右両端下部に形成した構成とすれば、内袋の開口端縁を上方に引き上げることにより突起に引っ掛けることとなり、また容器の外部を内袋が多く覆うこととなるため、内袋の装着の作業性が良好で、しかも内袋の装着の信頼性に高いものとなる。
更に、上記突起を対向する短手の側壁の各々に形成し、また、上記段部も対向する短手の側壁の各々に形成する構成とすれば、内袋の開口端縁を絞る効果が顕著に現れ、また該容器を積み重ねる際の方向性がなくなる。
また、発泡ポリスチレンにより形成した容器とすれば、軽量性、耐水性、耐久性等の特性、並びにコストの面から優れた容器となる。
【発明を実施するための最良の形態】
【００１３】
以下、上記した本発明に係る発泡合成樹脂製容器の好適な実施の形態を、図面を示して詳細に説明する。
ここで、図１は、本発明に係る発泡合成樹脂製容器の全体を示した斜視図、図２は、容器本体と蓋体との嵌め合い構造を示した断面図、図３は、内袋を装着した状態を示した概念的な正面図、図４は、要部を拡大して示した部分拡大斜視図である。また、図５は、本発明に係る発泡合成樹脂製容器に内袋を装着した状態を示した全体的な斜視図、図６は、使用状態を示した概念的な断面図である。
【００１４】
本発明の発泡合成樹脂製容器１は、肉厚の合成樹脂発泡体で形成されている。
合成樹脂発泡体としては、例えば発泡ポリスチレン等の発泡ポリスチレン系樹脂、発泡ポリエチレン、発泡ポリプロピレン等の発泡ポリオレフィン系樹脂、発泡ポリ塩化ビニル、発泡フェノール樹脂、発泡ポリアミド、発泡ポリウレタン等の各種のものが使用できるが、中でも、軽量性、耐水性、耐久性等の特性、並びにコストの面から、発泡ポリスチレンを使用することが好ましい。
【００１５】
発泡合成樹脂製容器１は、図１に示すように、肉厚の側壁２及び底板３によって箱状に形成された容器本体４と、該容器本体４の開口を塞ぐ蓋体５とから構成されている。
【００１６】
蓋体５は、容器本体４に結合するように嵌め合い構造とすることが好ましく、また、容器１を上下に複数積み重ねることを想定し、蓋体５の上面と容器本体４の底板裏面との間も、嵌め合い構造となるように形成することが好ましい。
【００１７】
具体的には、図２に示したように、蓋体５の裏面に凹条５ａを形成し、該蓋体５の凹条５ａに嵌合する凸条４ａを容器本体４の側壁上端に形成する。また、蓋体５の上面に凹部５ｂを形成し、該凹部５ｂに係合する凸部４ｂを容器本体４の底板裏面に形成する。
【００１８】
本発明に係る発泡合成樹脂製容器１は、上記容器本体４を構成する側壁２に、内袋Ａの開口端縁を引っ掛ける突起６が形成されていることを必須とし、好ましくは、段部７も形成し、該段部７と上記突起６に内袋Ａの開口端縁をＶ字に引っ掛けるように構成する。
【００１９】
上記突起６及び段部７は、容器本体４を構成する４つの側壁２ａ〜２ｄの全てに形成されていてもよく、逆にいずれか一つの側壁２ａのみに形成されていてもよいが、好ましくは、対向する短手の側壁２ａ及び２ｃの各々に形成する。
これは、短手の側壁において内袋の開口端縁をＶ字に引っ掛けた方が、内袋の開口端縁を絞る効果が顕著に現れ、一箇所のみの引っ掛けでも十分であるためであり、また対向する両側壁に形成するのは、該容器を積み重ねる際の方向性をなくすためである。
【００２０】
また、上記突起６及び段部７は、突起６を側壁２の上面中央付近に形成し、段部７を側壁２の左右両端下部に各々形成し、図３の（ａ）に示したように、内袋Ａの開口端縁を逆Ｖ字状に引っ掛けるように構成してもよく、また、突起６を側壁２の下面中央付近に形成し、段部７を側壁２の左右両端上部に各々形成し、図３の（ｂ）に示したように、内袋Ａの開口端縁を正Ｖ字状に引っ掛けるように構成してもよい。
【００２１】
但し、内袋Ａの装着の作業性、及び内袋Ａの装着の信頼性などを考慮した場合、内袋Ａの開口端縁を上方に引き上げることにより突起６に引っ掛けることとなり、また容器１の外部を多く覆うこととなる前者の構成、即ち、突起６を側壁２の上面中央付近に形成し、段部７を側壁２の左右両端下部に各々形成する構成とすることが好ましい。
【００２２】
なお、段部７を形成することは上記したように必須ではなく、容器１と内袋Ａとの摩擦抵抗を利用して内袋Ａの開口端縁を側壁２の左右両端のいずれかの部位に引っ掛け、突起６のみを形成することによって内袋Ａの開口端縁をＶ字に引っ掛けるように構成してもよい。また、突起６を複数形成し、内袋Ａの開口端縁をコ字状、或いはＷ字状に引っ掛けるように構成してもよい。
【００２３】
図４は、上記突起６及び段部７を具体的に形成した発泡合成樹脂製容器１の一例を示した要部拡大斜視図である。
【００２４】
この図に示したように、突起６は、その周囲を凹ますことにより実質的に凸部としたものでもよく、また図示は省略したが、積極的に側壁２の上面中央付近に凸部を形成し、該凸部が入り込む凹部を蓋体５に形成した構成としてもよい。
但し、蓋体５に凹部を形成することによる強度低下、また蓋体５を外す際のきっかけ部となることなどを考慮した場合、周囲を凹ますことにより凸部とした図４に示した突起６の構成が好ましい。
【００２５】
また、図４に示したように、段部７を形成する場合には、側壁２の左右両端下部、即ち、容器本体４の下方角部に位置する部分に、大きなアールで面取りを行なう状態で形成することが、内袋Ａの開口端縁を上方に引き上げる際に内袋Ａがスムースに動き、内袋Ａが引っ掛かって破れることがないために好ましい。
【００２６】
上記した本発明に係る発泡合成樹脂製容器１には、内袋Ａが装着される。
内袋Ａは、薄肉の合成樹脂フィルムで構成されている。
合成樹脂フィルムとしては、例えば低密度ポリエチレン、エチレン・酢酸ビニル共重合体、ポリプロピレン等のポリオレフィン系樹脂フィルム、ポリ塩化ビニル等の塩化ビニル系樹脂フィルム、耐衝撃性ポリスチレンやポリスチレン等のポリスチレン系樹脂フィルム、ポリエチレンテレフタレート、ポリエチレンナフタレート等のポリエステル系樹脂フィルム、ナイロン６、ナイロン６．６等のポリアミド系樹脂フィルムなどが挙げられる。
【００２７】
また、内袋Ａには、着色が施されていることが好ましく、また、光線の透過を遮断する遮光処理が施されていることが好ましい。
着色を施す場合には、例えば、魚等の血の色である赤が目立たない青色に着色する。
また、遮光処理としては、輻射線、特に、赤外線、近赤外線を反射する輻射線反射性物質の粉末を、内袋Ａを形成する上記合成樹脂に混練する、或いは内袋Ａを形成する上記合成樹脂フィルムに蒸着することによって行なうことができる。輻射線反射性物質の粉末としては、アルミニウム、鉄、銅等の金属粉末が挙げられる。
【００２８】
本発明の発泡合成樹脂製容器１への上記内袋Ａの装着は、先ず容器本体４の内部に内袋Ａを入れ、内袋Ａの下部を容器本体４の内壁に沿わせた後、その開口端縁を外方に折り返して容器本体４の外部を覆い、その後、側壁２の左右両端下部に形成した段部７に内袋Ａの開口端縁を引っ掛けた状態、或いは段部７が形成されていない場合には容器１と内袋Ａとの摩擦抵抗を利用して側壁２の左右両端のいずれかの部位に内袋Ａの開口端縁を引っ掛けた状態で、その中央部を上方に引き上げ、側壁２の上面中央付近に形成した突起６にその引き上げた内袋Ａの開口端縁を引っ掛けることにより行なう。
【００２９】
このようにして装着された内袋Ａは、図５に示したように、その装着された内袋Ａの開口端縁が絞られ、容器本体４の外周に密着して外れ難いものとなるため、風などによって装着した内袋Ａが吹き飛ばされる憂いがなくなる。
【００３０】
本発明の発泡合成樹脂製容器１を使用するときは、図６に示したように、内袋Ａ内に氷Ｉと共に保冷物Ｆを入れ、内袋Ａの開口端縁を突起６等から外し、折り畳んで保冷物Ｆを覆うように上方に置き、その上に蓋体５を被せることにより行なう。
【００３１】
以上、本発明に係る発泡合成樹脂製容器の実施の形態を説明したが、本発明は、何ら既述の実施の形態に限定されるものではなく、特許請求の範囲に記載した本発明の技術的思想の範囲内において、種々の変形及び変更が可能であることは当然である。
【図面の簡単な説明】
【００３２】
【図１】本発明に係る発泡合成樹脂製容器の全体を示した斜視図である。
【図２】本発明に係る発泡合成樹脂製容器の容器本体と蓋体との嵌め合い構造を示した断面図である。
【図３】本発明に係る発泡合成樹脂製容器に内袋を装着した状態を示した概念的な正面図である。
【図４】本発明に係る発泡合成樹脂製容器の要部を拡大して示した部分拡大斜視図である。
【図５】本発明に係る発泡合成樹脂製容器に内袋を装着した状態を示した全体的な斜視図である。
【図６】本発明に係る発泡合成樹脂製容器の使用状態の一例を示した概念的な断面図である。
【図７】従来の発泡合成樹脂製容器に内袋を装着した状態を示した全体的な斜視図である。
【符号の説明】
【００３３】
１  発泡合成樹脂製容器
２  側壁
２ａ，２ｃ  短手の側壁
２ｂ，２ｄ  長手の側壁
３  底板
４  容器本体
４ａ  凸条
４ｂ  凸部
５  蓋体
５ａ  凹条
５ｂ  凹部
６  突起
７  段部
Ａ  内袋
Ｉ  氷
Ｆ  保冷物
【図１】
2005239196.tif 000003
【図２】
2005239196.tif 000004
【図３】
2005239196.tif 000005
【図４】
2005239196.tif 000006
【図５】
2005239196.tif 000007
【図６】
2005239196.tif 000008
【図７】
2005239196.tif 000009